(57)【要約】【課題】  電子メール等の情報を受信した受信者側にて、その情報の送信者が正当な使用者かどうかを確認し、「成りすまし」による送信情報を確実に見分けられるようにする。【解決手段】  携帯電話端末は、電子メールの送信を行うために、操作者が送信キーを押下操作したとき、その送信キーに内蔵されている指紋センサにより、その操作者の指紋を読み取る。そして、その指紋のパターン情報のファイルを、電子メールに添付して送信する。受信側では、電子メールに添付されていた指紋パターンと、予め内部に登録してある送信者の指紋パターンとを比較（ステップＳ２６）し、一致したならば送信者の素性は本物であることを使用者へ通知（ステップＳ２８）し、一方、一致しなかった時には送信者は「成りすまし」ている可能性があることを使用者へ通知（ステップＳ２７）する。【選択図】  図５
2006215705.tif 000002
【特許請求の範囲】
【請求項１】
情報に対して所定の処理を行う処理手段と、
情報を少なくとも送信する通信手段と、
操作者からの操作入力を取り込む操作入力手段と、
上記操作者を特定可能な生体情報を当該操作者の所定部位から読み取る生体情報読み取り手段と、
上記操作入力手段を介して上記操作者から情報送信指示の操作入力が行われた時、上記生体情報読み取り手段を制御して上記操作者の生体情報を読み取らせると共に、上記処理手段での所定の処理に関連した情報に上記生体情報を付加して上記通信手段から送信させる制御手段とを有する   ことを特徴とする情報通信装置。
【請求項２】
請求項１記載の情報通信装置であって、
上記処理手段は、少なくとも電子メールを生成する機能を備え、
上記通信手段は、少なくとも電子メールを送信する機能を備え、
上記制御手段は、上記操作入力手段を介して上記操作者から情報送信指示の操作入力が行われた時、上記処理手段が生成した電子メールに上記生体情報を付加して上記通信手段から送信させることを特徴とする情報通信装置。
【請求項３】
請求項１記載の情報通信装置であって、
上記生体情報読み取り手段は、上記操作入力手段に内蔵された指紋及び／又は静脈センサであり、
上記制御手段は、上記操作者が上記特定部位である指により上記操作入力手段を操作して上記情報送信指示を入力した時、上記指紋及び／又は静脈センサを動作させて、上記操作者の指の指紋及び／又は静脈の情報を上記生体情報として読み取らせることを特徴とする情報通信装置。
【請求項４】
請求項１記載の情報通信装置であって、
上記生体情報読み取り手段は、画像を撮像するカメラであり、
上記制御手段は、上記操作入力手段を介して上記操作者から情報送信指示の操作入力が行われた時、上記カメラを動作させ、上記操作者の特定部位である眼の網膜及び／又は虹彩の情報を上記生体情報として読み取らせることを特徴とする情報通信装置。
【請求項５】
情報を少なくとも受信する通信手段と、
複数の人を各々特定可能な複数の生体情報を格納する生体情報格納手段と、
上記通信手段が受信した情報の送信元に対応した生体情報を上記生体情報格納手段から取り出し、上記通信手段が受信した情報に付加されている生体情報と、上記生体情報格納手段から取り出した生体情報とを比較する生体情報比較手段と、
上記生体情報比較手段による比較結果に応じたメッセージを使用者に通知する通知手段と、
上記通信手段が受信した情報について所定の処理を行う処理手段とを有する   ことを特徴とする情報通信装置。
【請求項６】
請求項５記載の情報通信装置であって、
上記通信手段が受信した情報の送信元に対応した生体情報が上記生体情報格納手段に格納されていない時、上記通信手段が受信した情報に付加されている生体情報と上記受信した情報の送信元を示す情報とを対応付けて、上記生体情報格納手段に格納する制御手段を有することを特徴とする情報通信装置。
【請求項７】
請求項５記載の情報通信装置であって、
上記通信手段が受信した情報に生体情報が付加されているか否かの判断を行う判断手段を有し、
上記通信手段が受信した情報に生体情報が付加されていないと上記判断手段が判断した時、上記通知手段は、その判断結果に応じたメッセージを使用者に通知することを特徴とする情報通信装置。
【請求項８】
請求項５記載の情報通信装置であって、
上記通信手段は、少なくとも電子メールを受信する機能を備え、
上記処理手段は、上記通信手段が受信した電子メールを少なくとも閲覧するための処理を行う機能を備え、
上記生体情報比較手段は、上記通信手段が受信した電子メールの送信元に対応した生体情報を上記生体情報格納手段から取り出し、当該電子メールに付加されている生体情報と、上記生体情報格納手段から取り出した生体情報とを比較することを特徴とする情報通信装置。
【請求項９】
請求項５記載の情報通信装置であって、
上記生体情報格納手段は、上記複数の人を各々特定可能な複数の生体情報として、指紋、静脈、網膜、及び／又は、虹彩の情報を格納していることを特徴とする情報通信装置。
【請求項１０】
操作者から情報送信指示の操作入力が行われた時、上記操作者の所定部位から当該操作者を特定可能な生体情報を読み取り、所定の処理に関連した情報に上記生体情報を付加して送信する情報送信装置と、
上記情報送信手段から送られてきた情報を受信し、当該受信した情報に付加されている生体情報とその受信した情報の送信元に対応した生体情報とを比較し、その比較結果に応じたメッセージを使用者に通知すると共に、上記受信した情報について所定の処理を行う情報受信装置とを有する   ことを特徴とする情報通信システム。
【請求項１１】
情報に対して所定の処理を行う処理手段と、
情報を少なくとも記録媒体に記録する記録手段と、
操作者からの操作入力を取り込む操作入力手段と、
上記操作者を特定可能な生体情報を当該操作者の所定部位から読み取る生体情報読み取り手段と、
上記操作入力手段を介して上記操作者から上記記録媒体への情報記録指示の操作入力が行われた時、上記生体情報読み取り手段を制御して上記操作者の生体情報を読み取らせると共に、上記処理手段での所定の処理に関連した情報に上記生体情報を付加して上記記録手段から上記記録媒体へ記録させる制御手段とを有する   ことを特徴とする情報記録装置。
【請求項１２】
少なくとも記録媒体から情報を再生する再生手段と、
複数の操作者を各々特定可能で且つ上記記録媒体に記録されている各情報と各々対応付けられている複数の生体情報を格納する生体情報格納手段と、
操作者からの操作入力を取り込む操作入力手段と、
上記操作者を特定可能な生体情報を当該操作者の所定部位から読み取る生体情報読み取り手段と、
上記生体情報読み取り手段が読み取った生体情報と上記生体情報格納手段に格納されている生体情報とを比較する生体情報比較手段と、
上記生体情報比較手段による比較に応じたメッセージを使用者に通知する通知手段と、
上記操作入力手段を介して、上記操作者から上記記録媒体に記録されている所定の情報についての再生指示の操作入力が行われた時、上記生体情報読み取り手段を制御して上記操作者の生体情報を読み取らせると共に、上記生体情報比較手段を制御して上記生体情報読み取り手段が上記操作者から読み取った生体情報と上記再生指示がなされた所定の情報に対応して上記生体情報格納手段に格納されている生体情報との比較を行わせ、双方の生体情報が一致した時に、上記再生手段を制御して上記記録媒体に記録されている上記所定の情報を再生させる制御手段とを有する   ことを特徴とする情報再生装置。
【発明の詳細な説明】
【技術分野】
【０００１】
本発明は、例えば電子メール等により送受信される情報や記録媒体等に記録される情報に関する個人認証を可能とする情報通信装置及び情報通信システム、情報記録装置及び情報再生装置に関する。
【背景技術】
【０００２】
従来より、例えば携帯電話端末やＰＤＡ（Personal Digital Assistants）等の携帯可能な情報通信端末は、外出時などにおいて常に持ち歩くことを前提にして作られている。
【０００３】
一方で、これらの情報通信端末は、外出先等で置き忘れられてしまうことも多く、また、最悪の場合盗難されることこともあり得る。このように、置き忘れられたり、盗難された場合、その情報通信端末が不正に使用されたり、個人情報等が盗み見られたりする虞がある。
【０００４】
このようなことから、例えば特開２０００−１６５３７８号の公開特許公報（特許文献１）には、移動無線端末機の電源スイッチに指紋読取部を設け、電源スイッチが指で押された時に指紋認証が行われ、指紋読取部により読み取られた指紋と予め指紋登録部に登録されている指紋とが一定したときにのみ、当該移動無線端末機を動作させるようにすることにより、移動無線端末機のセキュリティを高めることを可能とした指紋認証装置が開示されている。
【０００５】
また、特開２００２−３３５３２４号の公開特許公報（特許文献２）には、指紋センサ機能を有し且つ押下された位置に応じて異なる指示を入力するキーを備え、このキーの押下の際に指紋を検知し、その検知した指紋を、予め登録されている指紋と照合し、それらが一致したときにのみ、そのキーからの指示を入力できるようにした移動無線装置が開示されている。
【０００６】
さらに、特開２００４−２１７５２号の公開特許公報（特許文献３）には、携帯無線電話装置に備えられた指紋センサが検出した指紋と、予め記憶部に記憶されている指紋とを制御部が比較し、制御部は、その指紋認証により指紋が一致したとき、電子メールを送信可能とすることにより、自分以外の悪意のある第三者が携帯無線電話装置を不正に使用し、いわゆる「成りすまし」により電子メールを送信することを防ぐようにした携帯無線電話装置が開示されている。
【０００７】
【特許文献１】特開２０００−１６５３７８号公報（第３図）
【特許文献２】特開２００２−３３５３２４号公報（第１図）
【特許文献３】特開２００４−２１７５２号公報（第１図）
【発明の開示】
【発明が解決しようとする課題】
【０００８】
ところで、例えば、盗難や置き忘れなどにより情報通信端末がその所有者本人ではない第三者によって不正に使用され、その第三者が当該情報通信端末の所有者本人に成りすまして例えば電子メールを送るようなことを行った場合、すなわちいわゆる「成りすまし」による電子メールの送信が行われた場合、その電子メールの受信者は、当該電子メールが上記情報通信端末の所有者本人から送られてきたものであると思ってしまうことになる。
【０００９】
このような「成りすまし」による電子メールの送信を防ぐために、例えば上述の特許文献３では、指紋センサにより検出された指紋と、予め登録されている指紋とを比較し、それらが一致した時にのみ電子メールを送信できるようにしている。すなわち、従来の情報通信端末によれば、例えば電子メールの送信機能が意図的に停止状態にロックされている場合には、指紋やパスワード等による個人認証で使用者本人であると確認されない限り、当該ロックが解除されないようになされているため、使用者本人以外の第三者による不正使用（例えば成りすましによる電子メールの送信等）を防止でき、セキュリティ性を確保している。
【００１０】
しかしながら、所有者本人が上記所定の機能を停止状態にロックするのを忘れていたり、上記ロックが解除されたままの状態で、情報通信端末の置き忘れや盗難がなされた場合、その情報通信端末を入手した第三者は、電子メールを作成し、使用者本人に成りすましてその電子メールを送信することが可能となる。このような場合、その電子メールの受信者は、上記情報通信端末の使用者本人に直接聞くようなことを行わない限り、当該電子メールが「成りすまし」によるものであるかどうかを確認することができない。
【００１１】
本発明は、このような実情に鑑みて提案されたものであり、電子メール等の送信されてきた情報を受信した受信者側において、その情報を送信してきたのが正当な使用者であるかどうかを確認可能とし、「成りすまし」により送信されてきた情報を確実に見分けることができるようにすることで、高いセキュリティを確保可能とする情報通信端末及び情報通信システム、情報記録装置及び情報再生装置を提供することを目的とする。
【課題を解決するための手段】
【００１２】
本発明の情報通信装置は、情報に対して所定の処理を行う処理手段と、情報を少なくとも送信する通信手段と、操作者からの操作入力を取り込む操作入力手段と、操作者を特定可能な生体情報を当該操作者の所定部位から読み取る生体情報読み取り手段と、操作入力手段を介して操作者から情報送信指示の操作入力が行われた時、生体情報読み取り手段を制御して操作者の生体情報を読み取らせると共に、処理手段での所定の処理に関連した情報に生体情報を付加して通信手段から送信させる制御手段とを有することにより、上述した課題を解決する。
【００１３】
また、本発明の情報通信装置は、情報を少なくとも受信する通信手段と、複数の人を各々特定可能な複数の生体情報を格納する生体情報格納手段と、通信手段が受信した情報の送信元に対応した生体情報を生体情報格納手段から取り出し、通信手段が受信した情報に付加されている生体情報と生体情報格納手段から取り出した生体情報とを比較する生体情報比較手段と、生体情報比較手段による比較結果に応じたメッセージを使用者に通知する通知手段と、通信手段が受信した情報について所定の処理を行う処理手段とを有することにより、上述した課題を解決する。
【００１４】
また、本発明の情報通信システムは、操作者から情報送信指示の操作入力が行われた時、操作者の所定部位から当該操作者を特定可能な生体情報を読み取り、所定の処理に関連した情報に生体情報を付加して送信する情報送信装置と、情報送信手段から送られてきた情報を受信し、当該受信した情報に付加されている生体情報とその受信した情報の送信元に対応した生体情報とを比較し、その比較結果に応じたメッセージを使用者に通知すると共に、受信した情報について所定の処理を行う情報受信装置とを有することにより、上述した課題を解決する。
【００１５】
すなわち、本発明の情報通信装置，情報通信システムによれば、情報を送信する側では、その送信指示を行った操作者の生体情報を送信情報に付加して送信し、一方、情報を受信する側では、受信情報に付加されている生体情報と、その受信信号の送信元に対応した生体情報とを比較し、その比較結果をメッセージとして使用者に通知するようにしており、送信側の操作者の素性が確かか否かを使用者に知らせることができる。
【００１６】
また、本発明の情報記録装置は、情報に対して所定の処理を行う処理手段と、情報を少なくとも記録媒体に記録する記録手段と、操作者からの操作入力を取り込む操作入力手段と、操作者を特定可能な生体情報を当該操作者の所定部位から読み取る生体情報読み取り手段と、操作入力手段を介して操作者から記録媒体への情報記録指示の操作入力が行われた時、生体情報読み取り手段を制御して操作者の生体情報を読み取らせると共に、処理手段での所定の処理に関連した情報に生体情報を付加して記録手段から記録媒体へ記録させる制御手段とを有することにより、上述した課題を解決する。
【００１７】
さらに本発明の情報再生手段は、少なくとも記録媒体から情報を再生する再生手段と、複数の操作者を各々特定可能で且つ記録媒体に記録されている各情報と各々対応付けられている複数の生体情報を格納する生体情報格納手段と、操作者からの操作入力を取り込む操作入力手段と、操作者を特定可能な生体情報を当該操作者の所定部位から読み取る生体情報読み取り手段と、生体情報読み取り手段が読み取った生体情報と生体情報格納手段に格納されている生体情報とを比較する生体情報比較手段と、生体情報比較手段による比較に応じたメッセージを使用者に通知する通知手段と、操作入力手段を介して操作者から記録媒体に記録されている所定の情報についての再生指示の操作入力が行われた時、生体情報読み取り手段を制御して操作者の生体情報を読み取らせると共に、生体情報比較手段を制御して生体情報読み取り手段が操作者から読み取った生体情報と再生指示がなされた所定の情報に対応して生体情報格納手段に格納されている生体情報との比較を行わせ、双方の生体情報が一致した時に、再生手段を制御して記録媒体に記録されている所定の情報を再生させる制御手段とを有することにより、上述した課題を解決する。
【００１８】
すなわち、本発明の情報記録装置、情報再生装置によれば、情報を記録する際に、その記録指示を行った操作者の生体情報を情報に付加して記録媒体へ記録し、一方、その記録媒体から情報を再生する際には、記録情報に付加されている生体情報と、その操作者の生体情報とを比較し、その比較の結果をメッセージとして使用者に通知するようにしており、記録時の操作者の素性が確かか否かを使用者に知らせることができる。
【発明の効果】
【００１９】
本発明によれば、所定の処理により得られた情報に操作者の生体情報を付加しておき、その情報を利用する際には、当該情報に付加されている生体情報と、当該操作者のものであるとして予め内部に用意されている生体情報とを比較し、その比較の結果を使用者に通知するようにしているため、例えば電子メール等の情報を受信した受信者側において、その情報を送信してきたのが正当な使用者であるかどうかを確認可能となり、正当な使用者から送られてきた情報といわゆる「成りすまし」により送信されてきた情報とを確実に見分けることができ、高いセキュリティを確保している。
【発明を実施するための最良の形態】
【００２０】
以下、図面を参照しながら、本発明の一実施形態について説明する。
【００２１】
なお、以下の説明では、本発明の一実施形態として、携帯電話端末を例に挙げているが、勿論、ここで説明する内容はあくまで一例であり、本発明はこの例に限定されないことは言うまでもない。
【００２２】
〔携帯電話端末の外観構成〕
図１には、本発明実施形態の携帯電話端末の概略的な外観を示している。なお、図１は、本発明実施形態の携帯電話端末を正面側から観た概略外観図である。
【００２３】
本実施の形態の携帯電話端末は、例えば第１の筐体１と第２の筐体２を有し、ヒンジ部（連結手段）６を介して第１の筐体１と第２の筐体２が折り重なるように二つ折り可能になされた、いわゆる折り畳み式の携帯電話端末である。すなわち本実施形態の携帯電話端末は、第１の筐体１と第２の筐体がヒンジ部６により連結され、そのヒンジ部６を介して各筐体間の位置関係を変更可能となされた端末である。なお、図１の例は、当該携帯電話端末を開いた状態を示している。
【００２４】
図１に示すように、第１の筐体１には、例えば液晶デバイスにより構成されたディスプレイ３や受話用のスピーカ５等が備えられている。また、当該第１の筐体１の上記スピーカ５の近傍には、撮像素子とレンズ系とを有するカメラ部１０が設けられている。本実施形態において、当該カメラ部１０は、通常の撮影に用いられる場合の他、少なくとも操作者の眼の網膜を撮影することも可能となされている。なお、カメラ部１０は、操作者の眼の虹彩を撮影しても良い。また、カメラ部１０は、網膜と虹彩の何れかのみを撮影しても良いし、両方を同時に撮影しても良い。その他、図示は省略しているが、第１の筐体１の背面側には、液晶デバイスにより構成されたサブディスプレイ等が備えられている。
【００２５】
第２の筐体２には、携帯電話端末の主要な回路構成が内蔵されている。この第２の筐体２の上面（折り畳んだ際に第１の筐体１のディスプレイ３面と対向する面）には、電話番号や文字等を入力するためのキーボタンであるテンキー（１２キー）４や、発話キー、クリアキー、終話／電源キーなどの各キー、少なくとも電子メールの送信指示等を行う際に押下される決定ボタン９と当該ボタン９の上下左右に設けられた指示キー１１とを有する十字キーデバイス８等からなるキー入力部と、送話用のマイクロホン７等が設けられている。また、本実施形態の場合、上記決定ボタン９には、指紋を読み取り可能な指紋センサが設けられている。なお、決定ボタン９には、指の静脈を読み取り可能な静脈センサが設けられていても良い。また、決定ボタン９には、指紋センサと静脈センサの何れか一方のみを備えていても良いし、両方を備えていても良い。
【００２６】
本実施形態の携帯電話端末が通常備えているその他の構成の図示及びその説明については省略する。
【００２７】
〔本実施形態のセキュリティの概要〕     ここで、本実施形態の携帯電話端末は、例えばテンキー４等を使用して電子メールが作成され、その電子メールを送信するために上記決定ボタン９が押下操作された場合、当該決定ボタン９に設けられている指紋センサの検出信号から当該ボタン操作者の指の指紋パターンを読み取るか、若しくは、カメラ部１０の撮影信号から上記ボタン操作者の眼の網膜パターンを読み取り、その読み取った指紋パターン情報、或いは、網膜パターン情報、すなわちボタン操作者の身体の特定部位から読み取った生体情報を、上記電子メールに添付して送信する。なお、電子メールの送信時に読み取って当該電子メールに添付する生体情報は、上記指紋パターンや網膜パターンの他に、静脈パターンや虹彩パターンであっても良い。また、電子メールの送信時に読み取って当該電子メールに添付する生体情報は、指紋パターン、網膜パターン、静脈パターン、虹彩パターンの何れか一つの生体情報でも良いし、より正確な個人認証を可能にするために、それら二つ、若しくは、三つ、四つを組み合わせたものとしても良い。
【００２８】
また、本実施形態の携帯電話端末は、電子メールを受信し、その電子メールの閲覧指示が使用者から入力された場合、当該電子メールに生体情報が添付されているか否かを判断し、生体情報が添付されていない時には、その旨を使用者に通知して当該電子メールの閲覧処理を行い、一方、生体情報が添付されていた時には、その生体情報が生体情報データベースに登録されている生体情報と一致するか否か判断し、生体情報が一致していないと判断した時には、その旨を使用者に通知すると共に当該生体情報をその電子メールを送信してきた相手先の電子メールアドレスと対応付けて生体情報データベースに新規に登録した後、当該電子メールの閲覧処理を行い、また、生体情報が一致していると判断した時には、その旨を使用者に通知すると共に当該電子メールの閲覧処理を行う機能を備えている。
【００２９】
〔本実施形態の携帯電話端末の内部構成〕
図２には、本実施形態の携帯電話端末の概略的な内部ブロック構成を示す。
【００３０】
この図２において、通信アンテナ２１は、例えば内蔵アンテナであり通話や電子メール等のパケット通信のための信号電波の送受信を行う。通信回路２０は、送受信信号の周波数変換、変調と復調等を行う。
【００３１】
受信された通話音声のデータは、データバスを介してＣＰＵ（Central Processing Unit）２２へ送られる。ＣＰＵ２２は、通話音声データを復号化し、その復号化後の音声データをデータバスを介してスピーカ３０へ送る。
【００３２】
スピーカ３０は、第１の筐体１に設けられている受話用のスピーカ５やリンガ（着信音）、音楽再生、テレビジョン放送やラジオ放送の音声再生、アラーム音出力用のスピーカであり、ディジタル／アナログ変換器と増幅器を含み、通話音声やリンガ音のデータをディジタル／アナログ変換及び増幅した後、出力する。これにより、通話音声やリンガ音が得られることになる。
【００３３】
マイクロホン３１は、第２の筐体２に設けられている送話用のマイクロホン７に相当し、アナログ／ディジタル変換器と増幅器を含む。このマイクロホン３１を介して入力された通話音声信号は、増幅器により所定のレベルに増幅された後、アナログ／ディジタル変換器によりディジタル音声データに変換されて符号化された後、通信回路２０へ送られ、そこで変調、周波数変換等の各種処理を受けた後、通信アンテナ２１から送信される。
【００３４】
表示部２５は、第１の筐体１のディスプレイ３やサブディスプレイの液晶パネルとそれらの駆動回路を含み、文字や映像等を表示する。
【００３５】
キー入力部３２は、本実施形態の携帯電話端末の第１の筐体上に設けられているテンキー４や、発話キー、クリアキー、終話／電源キーなどの各キー、決定ボタン９と指示キー１１とを有する十字キーデバイス８等と、それら各キーの操作に応じた操作信号を発生する操作信号発生部とを有している。
【００３６】
センサ部３３は、上記決定ボタン９に設けられている指紋センサや静脈センサである。なお、本実施形態の携帯電話端末において、網膜パターンや虹彩パターンのみを生体情報に用いる場合には、上記センサ部３３は設けられていなくても良い。
【００３７】
カメラ部３５は、光学レンズ及び撮像素子とを有し、画像を撮像する。
【００３８】
パターン抽出部３４は、指紋パターン、静脈パターン、網膜パターン、虹彩パターン等の何れか若しくはそれらの組み合わせからなる生体情報を生成する。ここで一例として、本実施形態において、上記指紋パターンを生体情報として利用する場合、パターン抽出部３４は、上記センサ部３３の出力信号から指紋パターンを抽出し、その指紋パターンの抽出信号をディジタル化して生体情報を生成する。なお、本実施形態において、静脈パターン、網膜パターン、或いは、虹彩パターンの何れか一つを生体情報として利用する場合、上記パターン抽出部３４は、上記静脈センサの出力信号或いは上記カメラ部３５の撮影信号から該当するパターンを抽出し、そのパターンの抽出信号をディジタル化して生体情報を生成する。また、本実施形態において、指紋パターン、静脈パターン、網膜パターン、虹彩パターンの全て若しくはそれらの任意の組み合わせを生体情報として用いる場合、パターン抽出部３４は、上記センサ部３３の出力信号から指紋パターンや静脈パターンを抽出すると共に、カメラ部３５の撮影信号から網膜パターンや虹彩パターンを抽出し、それらパターンの抽出信号をディジタル化して生体情報を生成することになる。
【００３９】
データベース２６は、いわゆるアドレス帳に格納されている複数の電子メールアドレスに各々対応つけられて登録された生体情報を格納している。
【００４０】
ＲＯＭ（Read Only Memory）２４は、ＯＳ（Operating System）、ＣＰＵ２２が各部を制御するための制御プログラムや各種の初期設定値、フォントデータ、辞書データ、着信音やキー操作音，アラーム音用の各種音データ、電子メールの作成や編集等を行うためのアプリケーション用のプログラムコード、画像や音声に対して様々な処理を行うためのアプリケーション用プログラムコード、本実施形態にかかる生体情報の生成や比較、生体情報を用いた個人認証等を行うためのアプリケーション用のプログラムコード、その他、携帯電話端末に搭載される各種のアプリケーション用のプログラムコード、当該携帯電話端末の識別情報（ＩＤ）などを記憶している。このＲＯＭ２４は、いわゆるＮＡＮＤ型フラッシュメモリ（NAND-type flash memory）のような書き換え可能なＲＯＭを含み、電子メールデータ、ユーザにより設定される電話帳や電子メールアドレス帳、写真画像データ、ダウンロードされた写真データや音楽データ、ダウンロードされた着信音，キー操作音，アラーム音用等の音データ、文字データや予測変換の候補単語の登録データや予測変換の学習データ、その他、各種のユーザ設定値等を保存することも可能となされている。なお、上記データベース２６は、当該ＲＯＭ２４のＮＡＮＤ型フラッシュメモリに含まれていても良い。
【００４１】
ＲＡＭ（Random Access Memory）２３は、ＣＰＵ２２が各種のデータ処理を行う際の作業領域として、随時データを格納する。
【００４２】
ＣＰＵ２２は、ＲＯＭ２４に記憶されているアプリケーション用プログラムコードに基づき、上述した通話音声データの符号化や復号化、発着信の制御、着信時の報知制御、電子メールの送受信制御、電子メールの送信時における決定ボタン９の押下操作に応じた生体情報の生成と当該生体情報の電子メールへの添付及び送信等の制御、電子メールの受信時における生体情報の比較による個人認証及びその制御、その他、制御バスを介して当該携帯電話端末の各構成要素の制御、各種の演算処理を行う。なお、本実施形態において、ＣＰＵ２２は、上記パターン抽出部３４の機能を担っていても良い。
【００４３】
その他、図２には図示を省略しているが、本実施形態の携帯電話端末は、音楽を再生したり動画像を再生したりするためのマルチメディア機能や、いわゆる電子財布機能、ＧＰＳ（Global Positioning System）機能、外付けメモリとの間の情報送受信機能、赤外線等を用いた近距離無線機能などを備えている。
【００４４】
〔電子メール送信時のフローチャート〕
図３と図４には、本実施形態の携帯電話端末において、電子メール送信時に、生体情報の生成と当該生体情報の電子メールへの添付及びその電子メールの送信を行う際のＣＰＵ２２の処理フローチャートを示す。
【００４５】
図３のフローチャートは、決定ボタン９に指紋センサが設けられ、生体情報として指紋パターンのみを利用する場合の流れを示しており、図４のフローチャートは、カメラ部３５により操作者の眼の網膜を読み取り、その網膜パターンを生体情報として利用する場合の流れを示している。指紋パターンと網膜パターンの両方を生体情報に利用する場合には、この図３と図４のフローチャートの処理が略々同時に行われることになる。なお、図示及びその説明は省略するが、例えば、決定ボタン９に静脈センサが設けられ、生体情報として静脈パターンを利用する場合には、上記図３のフローチャートと略々同じ処理が行われる。同じく図示及びその説明は省略するが、例えば、カメラ部３５により虹彩を読み取り、その虹彩パターンを生体情報として利用する場合には、上記図４のフローチャートと略々同じ処理が行われる。
【００４６】
先ず、図３のフローチャートから説明する。
【００４７】
図３のフローチャートにおいて、ＣＰＵ２２は、電子メールの作成や編集等を行うアプリケーションプログラムを実行している時、ステップＳ１の処理として、当該電子メール用アプリケーションプログラム実行時において電子メールの送信キーとしての機能が割り当てられている決定ボタン９が操作者により押下されたか否かを判断しており、押下された時にはステップＳ２へ処理を進める。なお、操作者が電子メールを作成するまでは従来と同じ処理となる。
【００４８】
ステップＳ２の処理に進むと、ＣＰＵ２２は、決定ボタン（送信キー）９に設けられている指紋センサを動作させ、当該ボタンを押下している操作者の指の指紋を読み取らせる。そして、ＣＰＵ２２は、パターン抽出部３４を制御して、上記指紋センサの出力信号から指紋パターン信号を抽出させると共に、その指紋パターン信号をディジタル情報化させる。このステップＳ２の処理後、ＣＰＵ２２は、ステップＳ３へ処理を進める。
【００４９】
ステップＳ３の処理に進むと、ＣＰＵ２２は、指紋パターンの読み取りとディジタル情報化は成功したか否か判断し、指紋パターンの読み取りとそのディジタル情報化が成功したと判断した場合にはステップＳ５へ処理を進め、一方、指紋パターンの読み取り若しくはディジタル情報化が成功しなかったと判断した場合にはステップＳ４へ処理を進める。
【００５０】
ステップＳ４の処理に進むと、ＣＰＵ２２は、指紋パターンの読み取りとディジタル情報化を再度行うため、つまり、生体情報を取得するために、例えば、処理に失敗した旨と上記決定ボタン（送信キー）９を再度押下するように求める表示メッセージ情報等を生成し、そのメッセージ情報を表示部２５に送って表示させた後、ステップＳ１へ処理を戻す。なお、ステップＳ４では、例えば、予め定められているエラー音をスピーカ３０から出力させたり、ＬＥＤ等を点滅させることで、操作者に決定ボタン９の再押下を求めるようにしても良い。
【００５１】
ステップＳ５の処理に進んだ場合、ＣＰＵ２２は、ディジタル情報化された指紋パターン情報を例えば所定形式の生体情報ファイルとして電子メールに添付し、通信回路２０を制御して、当該電子メールの送信処理を行う。なお、ＣＰＵ２２は、生体情報ファイルを添付する場合、電子メールのヘッダ等に、添付ファイルが生体情報であることを示す情報を記載するようにしても良い。また、当該電子メールに添付されて送信される生体情報には、必要に応じて暗号化処理を施すようにしても良い。
【００５２】
次に、図４のフローチャートについて説明する。
【００５３】
図４のフローチャートにおいて、ＣＰＵ２２は、電子メールの作成や編集等を行うアプリケーションプログラムを実行している時、ステップＳ１１の処理として、当該電子メール用アプリケーションプログラム実行時において電子メールの送信キーとしての機能が割り当てられている決定ボタン９が操作者により押下されたか否かを判断しており、押下された時にはステップＳ１２へ処理を進める。なお、操作者が電子メールを作成するまでは従来と同じ処理となる。
【００５４】
ステップＳ１２の処理に進むと、ＣＰＵ２２は、カメラ部３５を制御し、当該ボタンを押下している操作者の眼の網膜を読み取らせる。そして、ＣＰＵ２２は、パターン抽出部３４を制御して、上記カメラ部３５の出力信号から網膜パターン信号を抽出させると共に、その網膜パターン信号をディジタル情報化させる。このステップＳ１２の処理後、ＣＰＵ２２は、ステップＳ１３へ処理を進める。
【００５５】
ステップＳ１３の処理に進むと、ＣＰＵ２２は、網膜パターンの読み取りとディジタル情報化は成功したか否か判断し、網膜パターンの読み取りとそのディジタル情報化が成功したと判断した場合にはステップＳ１５へ処理を進め、一方、網膜パターンの読み取り若しくはディジタル情報化が成功しなかったと判断した場合にはステップＳ１４へ処理を進める。
【００５６】
ステップＳ１４の処理に進むと、ＣＰＵ２２は、網膜パターンの読み取りとディジタル情報化を再度行うため、つまり生体情報を取得するために、例えば、処理に失敗した旨と上記決定ボタン９を再度押下すると共に第１の筐体１のカメラ１０を見るように求める表示メッセージ情報等を生成し、そのメッセージ情報を表示部２５に送って表示させた後、ステップＳ１１へ処理を戻す。なお、ステップＳ１４では、例えば、予め定められているエラー音をスピーカ３０から出力させたり、ＬＥＤ等を点滅させることで、操作者に決定ボタン９の再押下とカメラ１０を見ることを求めるようにしても良い。
【００５７】
ステップＳ１５の処理に進んだ場合、ＣＰＵ２２は、ディジタル情報化された網膜パターンの情報、つまり生体情報のファイルを電子メールに添付し、通信回路２０を制御して、当該電子メールの送信処理を行う。なお、ＣＰＵ２２は、生体情報ファイルを添付する場合、電子メールのヘッダ等に、添付ファイルが生体情報であることを示す情報を記載するようにしても良い。また、当該電子メールに添付されて送信される生体情報には、必要に応じて暗号化処理を施すようにしても良い。
【００５８】
〔電子メール受信時のフローチャート〕
図５には、本実施形態の携帯電話端末において、電子メールを受信した際のＣＰＵの処理フローチャートを示す。
【００５９】
この図５のフローチャートにおいて、通信回路２０を介して電子メールが受信された場合、ＣＰＵ２２は、ステップＳ２１の処理として通常の電子メール受信処理を行う。そして、当該携帯電話端末の操作者がその電子メールを閲覧しようとする操作指示がキー入力部３２から入力されるか、若しくは、電子メール着信画面などにて当該電子メールの送信者情報を表示させる操作指示がキー入力部３２から入力された時、ＣＰＵは、ステップＳ２２へ処理を進める。
【００６０】
ステップＳ２２の処理に進むと、ＣＰＵ２２は、上記受信した電子メールを解析し、生体情報のファイルが添付されているか否か判断する。なお、電子メールに添付されているファイルが生体情報であるか否かは、例えば、当該ファイルの形式（拡張子等）により判断することができる。また、電子メールのヘッダ等にその添付ファイルが生体情報であることを示す情報が記載されている場合には、当該ヘッダ情報から判断することができる。ＣＰＵ２２は、当該電子メールに生体情報のファイルが添付されていないと判断した時にはステップＳ２５へ処理を進め、一方、電子メールに生体情報のファイルが添付されていると判断した時にはステップＳ２３へ処理を進める。
【００６１】
ステップＳ２２にて電子メールに生体情報のファイルが添付されていないと判断してステップＳ２５の処理に進むと、ＣＰＵ２２は、その電子メールの送信者の素性は不明であること、すなわち、当該電子メールの送信者（つまり電子メールの作成者）はその電子メールアドレスの正当な所有者（携帯電話端末の正当な所有者）であるかわからないことを通知するためのメッセージ等を生成し、そのメッセージを表示部２５に送り、ディスプレイ３に表示させる。なお、このメッセージ通知の際には、送信者についての信頼度を表すメッセージを通知することも可能である。この場合の信頼度は、例えば信頼度「０％」として表しても良い。このステップＳ２５の処理後、ＣＰＵ２２は、従来同様の電子メール閲覧等の処理を行うステップＳ２９へ進む。
【００６２】
ステップＳ２２にて電子メールに生体情報のファイルが添付されていると判断してステップＳ２３の処理に進むと、ＣＰＵ２２は、データベース２６の情報を参照することにより、当該生体情報が添付されていた電子メールの送信者がデータベース２６に登録されているか否か判断する。当該ステップＳ２３の処理において、ＣＰＵ２２は、上記生体情報が添付されていた電子メールの送信者がデータベース２６に登録されていると判断した場合にはステップＳ２６へ処理を進め、一方、登録されていないと判断した場合にはステップＳ２４へ処理を進める。なお、当該生体情報が暗号化されている場合、ＣＰＵ２２は、当該ステップＳ２３においてその暗号解読を行う。
【００６３】
上記電子メールの送信者がデータベース２６に登録されていないと判断してステップＳ２４に進むと、ＣＰＵ２２は、当該電子メールに添付されていた生体情報を、その電子メールの送信者の名前（送信者名や電子メールアドレス等）と対応つけて、データベース２６に新規登録する。このステップＳ２６の処理後、ＣＰＵ２２は、ステップＳ２５へ処理を進める。
【００６４】
一方、上記電子メールの送信者がデータベース２６に登録されていたと判断してステップＳ２６に進むと、ＣＰＵ２２は、上記電子メールに添付されていた生体情報と、当該電子メールの送信者のものであるとして上記データベース２６に登録されている生体情報とが一致するか否か判断する。当該ステップＳ２６の処理において、ＣＰＵ２２は、それら生体情報が一致すると判断した場合にはステップＳ２８へ処理を進め、一方、それら生体情報が一致しないと判断した場合にはステップＳ２７へ処理を進める。
【００６５】
上記ステップＳ２６にて生体情報が一致しないと判断してステップＳ２７の処理に進むと、ＣＰＵ２２は、当該電子メールの送信者（つまり電子メールの作成者）は、その電子メールアドレスの正当な所有者（携帯電話端末の正当な所有者）ではない可能性があり、その電子メールがいわゆる「成りすまし」により送られてきた可能性があることを通知するためのメッセージ等を生成し、そのメッセージを表示部２５に送り、ディスプレイ３に表示させる。なお、このメッセージ通知の際には、送信者についての信頼度を表すメッセージを通知することも可能である。この場合の信頼度は、生体情報のパターン一致度に応じた信頼度の「％」を表示しても良い。このステップＳ２７の処理後、ＣＰＵ２２は、ステップＳ２９へ処理を進める。
【００６６】
一方、ステップＳ２６にて生体情報が一致したと判断してステップＳ２８の処理に進むと、ＣＰＵ２２は、当該電子メールの送信者（つまり電子メールの作成者）は、その電子メールアドレスの正当な所有者（携帯電話端末の正当な所有者）であり、その電子メールの送信者の素性は本物であることを通知するためのメッセージ等を生成し、そのメッセージを表示部２５に送り、ディスプレイ３に表示させる。なお、送信者についての信頼度を表すメッセージを通知する場合には、信頼度が例えば１００％であることを示すメッセージを通知することになる。このステップＳ２８の処理後、ＣＰＵ２２は、ステップＳ２９へ処理を進める。
【００６７】
〔まとめ〕
以上説明したように、本発明の実施形態の携帯電話端末によれば、電子メールを送信する際に、当該携帯電話端末の操作者の生体情報を読み取って電子メールに添付して送信するようになされているため、自己の携帯電話端末を他人が不正に使用して作成したいわゆる「成りすまし」の電子メールを送信したとしても、当該電子メールが「成りすまし」によるものであることを、受信側に確実に知らせることが可能となっている。また、本実施形態の携帯電話端末によれば、電子メールを受信した際に、当該受信した電子メールに生体情報が添付されているか否か、及び、生体情報が添付されている場合にはその生体情報の素性が確かかどうかを判断することにより、当該電子メールを送信したのが正当な使用者であるかどうかを確認可能であり、いわゆる「成りすまし」により送信されてきた電子メールを確実に見分けることができる。
【００６８】
すなわち本実施形態によれば、電子メールの個人認証機構に、指紋パターン、静脈パターン、網膜パターン、虹彩パターンといった生体情報を取り入れ、その生体情報を電子メールに添付して送信することにより、確実な個人認証を実現し、成りすまし電子メールによる不利益から正当な利用者を保護することが可能となっている。つまり、成りすまし電子メールは、成りすまされた本人にとっては社会的信用を落としかねない問題であり、本実施形態によれば、これを回避できるため、社会的貢献が大きいといえる。
【００６９】
また、所定の機能を停止状態にロックすることのみ行う従来の携帯電話端末では、所有者本人が所定の機能を停止状態にロックするのを忘れていたり、ロックが解除されたままの状態で携帯電話端末の置き忘れや盗難がなされた場合には、当該携帯電話端末の不正な使用を防ぐことができず、利用者の運用次第でセキュリティのレベルが一定していなかったのに対して、本実施形態によれば、電子メールの送受信の際に、生体情報による個人認証を自動的に行うことができるため、高いレベルのセキュリティ性を確保でき且つそのレベルを維持することが可能である。
【００７０】
さらに、本実施形態の場合、データベースへの生体情報の登録は自動的に行われ、利用者が自ら登録操作を行う必要がないため、利用者の負担が少なく、本実施形態のシステムを新たに採用する場合の運用上の問題は殆ど無い。
【００７１】
なお、上述した実施形態の説明は、本発明の一例である。このため、本発明は上述した各実施形態に限定されることなく、本発明に係る技術的思想を逸脱しない範囲であれば、設計等に応じて種々の変更が可能であることはもちろんである。
【００７２】
例えば、本発明の情報通信装置、情報通信システムは、携帯電話端末とそのシステムに限定されず、ＰＤＡ等の携帯可能な情報通信端末やパーソナルコンピュータ等の様々な端末、システムに適用可能である。
【００７３】
また、上述の実施形態では、電子メールの送受信を例に挙げているが、本発明はそれに限定されず、様々な情報の送受信にも適用可能である。
【００７４】
さらに本発明は、例えば、画像データ等を所定のフォルダや記録媒体等に保存する場合や、そのフォルダや記録媒体からデータ等を読み出すような場合にも適用可能である。すなわち、一例として、画像データを所定のフォルダに保存するための操作が行われた時、その操作者の生体情報を自動的に読み取り、その生体情報がデータベースに登録されていない時には、上記画像データをフォルダに保存すると同時に、当該操作者の生体情報と画像データの対応付けをデータベースに新規登録するようにする。また、所定のフォルダから画像データを読み出すための操作が行われた時には、その操作者の生体情報を自動的に読み取り、その生体情報がデータベースに登録されている生体情報と一致した時にのみ、そのフォルダから画像データを取り出せるようにし、生体情報が一致しなかったり、生体情報の読み取りが出来なかったときにはその旨のメッセージを通知して、フォルダから画像データの読み出しを行わないようにする。さらに、所定のフォルダから既に読み出されている画像データに対してその後何らかの加工等が施され、その加工データを上記所定のフォルダに上書き保存するような操作が行われた時、その操作者の生体情報を自動的に読み取り、その生体情報がデータベースに登録されている生体情報と一致しない時には、その旨のメッセージを通知し、当該加工データをフォルダ内に別名で保存すると同時に、当該操作者の生体情報と加工データの対応付けをデータベースに新規登録するようなことも可能である。
【図面の簡単な説明】
【００７５】
【図１】本発明実施形態の携帯電話端末を開いた状態で正面側から観た概略的な外観図である。
【図２】本実施形態の携帯電話端末の概略的な内部構成を示すブロック図である。
【図３】電子メール送信時に指紋パターンの生体情報を生成して電子メールへの添付し、その電子メールの送信を行うまでのＣＰＵの処理の流れを示すフローチャートである。
【図４】電子メール送信時に網膜パターンの生体情報を生成して電子メールへの添付し、その電子メールの送信を行うまでのＣＰＵの処理の流れを示すフローチャートである。
【図５】本実施形態の携帯電話端末が電子メールを受信した際のＣＰＵの処理の流れを示すフローチャートである。
【符号の説明】
【００７６】
１  第１の筐体、２  第２の筐体、３  ディスプレイ、４  テンキー、５，３０  スピーカ、６  ヒンジ部、７，３１  マイクロホン、８  十字キーデバイス、９  決定ボタン、１０，３５  カメラ部、１１  指示キー、２０  通信回路、２１  通信アンテナ、２２  ＣＰＵ、２３  ＲＡＭ、２４  ＲＯＭ、２５  表示部、２６  データベース、３２  キー入力部、３３  センサ部、３４  パターン抽出部
【図１】
2006215705.tif 000003
【図２】
2006215705.tif 000004
【図３】
2006215705.tif 000005
【図４】
2006215705.tif 000006
【図５】
2006215705.tif 000007